(57)【特許請求の範囲】
【請求項１】
上りリンクサウンディング基準信号を送信する方法であって、
マスクを用いて上りリンクサウンディング基準信号を処理し、マスク処理された複数の上りリンクサウンディング基準信号を得るステップと、
基準信号に割り当てられている複数のタイムスロットにおいて、マスク処理された前記複数の上りリンクサウンディング基準信号をそれぞれ送信するステップと、を含み、
前記マスクを用いて前記上りリンクサウンディング基準信号を処理することは、前記上りリンクサウンディング基準信号に複数のマスク定数をそれぞれ掛け、マスク処理された前記複数の上りリンクサウンディング基準信号を得ることを含む、方法。
【請求項２】
前記基準信号に割り当てられている前記複数のタイムスロットは、上りリンクサウンディング基準信号に割り当てられているタイムスロット及び／又は復調基準信号に割り当てられているタイムスロットを含む、請求項１に記載の方法。
【請求項３】
前記基準信号に割り当てられている前記複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む、請求項２に記載の方法。
【請求項４】
前記複数のマスク定数は、１及び−１、又は１及び１、又はｊ及び−ｊ、又はｊ及びｊを含む、請求項１に記載の方法。
【請求項５】
上りリンクサウンディング基準信号を用いてチャンネルを推定する方法であって、
基準信号に割り当てられている複数のタイムスロットにおいてそれぞれ送信された、マスク処理された複数の上りリンクサウンディング基準信号を含む信号を受信するステップと、
受信した前記信号に対してデマスク処理を行い、チャンネルの推定を得るステップと、を含み、
マスク処理された前記複数の上りリンクサウンディング基準信号は、前記上りリンクサウンディング基準信号に複数のマスク定数をそれぞれ掛けることにより得られる、方法。
【請求項６】
前記基準信号に割り当てられている前記複数のタイムスロットは、上りリンクサウンディング基準信号に割り当てられているタイムスロット及び／又は復調基準信号に割り当てられているタイムスロットを含む、請求項５に記載の方法。
【請求項７】
前記基準信号に割り当てられている前記複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中
の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレ
ームの上りリンクサウンディング基準信号に割り当てられているタイムスロット及び１つの復調基準信号に割り当てられているタイムスロットを含む、請求項６に記載の方法。
【請求項８】
前記複数のマスク定数は、１及び−１、又は１及び１、又はｊ及び−ｊ、又はｊ及びｊを含む、請求項５に記載の方法。
【請求項９】
移動端末であって、
マスクを用いて上りリンクサウンディング基準信号を処理し、マスク処理された複数の上りリンクサウンディング基準信号を得るためのマスクユニットと、
基準信号に割り当てられている複数のタイムスロットにおいて、マスク処理された前記複数の上りリンクサウンディング基準信号をそれぞれ送信するための送信ユニットと、を含み、
前記マスクユニットは、前記上りリンクサウンディング基準信号に複数のマスク定数をそれぞれ掛け、マスク処理された前記複数の上りリンクサウンディング基準信号を得る、移動端末。
【請求項１０】
前記基準信号に割り当てられている前記複数のタイムスロットは、上りリンクサウンディング基準信号に割り当てられているタイムスロット及び／又は復調基準信号に割り当てられているタイムスロットを含む、請求項９に記載の移動端末。
【請求項１１】
前記基準信号に割り当てられている前記複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む、請求項１０に記載の移動端末。
【請求項１２】
前記複数のマスク定数は、１及び−１、又は１及び１、又はｊ及び−ｊ、又はｊ及びｊを含む、請求項９に記載の移動端末。
【請求項１３】
基地局であって、
基準信号に割り当てられている複数のタイムスロットにおいてそれぞれ送信された、マスク処理された複数の上りリンクサウンディング基準信号を含む信号を受信するための受信ユニットと、
受信した前記信号に対してデマスク処理を行い、チャンネルの推定を得るためのデマスクユニットと、を含み、
マスク処理された前記複数の上りリンクサウンディング基準信号は、前記上りリンクサウンディング基準信号に複数のマスク定数をそれぞれ掛けることにより得られる、基地局。
【請求項１４】
前記基準信号に割り当てられている前記複数のタイムスロットは、上りリンクサウンディング基準信号に割り当てられているタイムスロット及び／又は復調基準信号に割り当てられているタイムスロットを含む、請求項１３に記載の基地局。
【請求項１５】
前記基準信号に割り当てられている前記複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレーム中上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む、請求項１４に記載の基地局。
【請求項１６】
前記複数のマスク定数は、１及び−１、又は１及び１、又はｊ及び−ｊ、又はｊ及びｊを含む、請求項１３に記載の基地局。
【発明の詳細な説明】
【技術分野】
【０００１】
本発明は、無線通信システム分野に関し、特に、上りリンクサウンディング基準信号（Sounding  Reference  Signal；SRS）送信方法、チャンネル推定方法、移動端末、基地局及び無線通信システムに関する。
【背景技術】
【０００２】
第４世代（4G）移動通信システムでは、例えば、LTE（ロング・ターム・エボリューション）シングルキャリア周波数分割多元接続（Single  Carrier  Frequency  Division  Multiple  Access：SC−FDMA）上りリンクにおいて、基準信号（Reference  Signal；RS）がデータ復調及びチャンネルサウンディングのために用いられる。
【０００３】
上りリンクRSの機能は、コヒーレント復調を行うために必要なチャンネル推定、上りリンクスケジューリングのチャンネル品質測定、電力制御、タイミング推定、及び、下りリンクビーム形成をサポートする到来波方向（DOA)の推定などのために用いられることを含む。
【０００４】
LTE中の上りリンク基準信号の大部分は、Zadoff-Chu（ZC）シーケンスに基づくものである。ZCシーケンスは、GCL（汎用チャープ状；Generalized  Chirp-Like）シーケンスとも称される。該シーケンスは全て非バイナリー振幅シーケンスであり、CAZAC（Constant  Amplitude  Zero  Autocorrellation；定振幅ゼロ自己相関）特性を満たす。CAZACシーケンスは、形式がejaである複素信号である、長さが複素数NZCであるZCシーケンスは、次のように表され得る。
【数１】
0005549778.tif 000002
【０００５】
ただし、ｑ∈｛1,…,NZC−1｝は、ZCシーケンスのルートインデックス（Root  Index）であり、n=0,1,…,NZC−1であり、l∈Nである。簡単のため、LTEでは、l＝0と設定される。
【０００６】
ZCシーケンスは、次のような特性を有する。
【０００７】
１．ZCシーケンスは、定振幅を有し、またDFT演算が行われた後でも定振幅を有する。定振幅の特性は、ピーク対平均電力の比（PAPR）、及び他のユーザに与える境界及び時間性平坦型干渉を制限することができる。また、振幅要らず位相のみを計算及び記憶する必要がある時に、このような特性により、実現は簡略化され得る。
【０００８】
２．任意の長さのZCシーケンスは、理想的な周期自己相関性（Cyclic  Autocorrelation）を有し、即ち、周期シフト相関は、δ関数である。
【０００９】
ZCシーケンスの理想的な特性により、上りリンクのRSは、次のような良好な特性を有する。（１）周波数領域では振幅が一定であり、これは、不偏チャンネル推定において、割り当てられている全てのサブキャリヤに対して同じ励起を行うためである。（２）時間領域では低キュービックメトリック（CM）の値が低い。（３）非常に良い自己相関特性を有し、精確なチャンネル推定にとって有利である。（４）良好な相互相関特性を有し、他のセルが同じリソースにおいて送信するRSの干渉を減らすことができる。
【００１０】
上りリンクは、２種類のRS、即ち、（１）復調RS（Demodulation  RS；DM-RS）、及び（２）サウンディングRSをサポートする。復調RSは、主に、上りチャンネルデータ伝送又はシグナリング情報伝送のチャンネル推定を行い、関連する検出・測定を実施するために用いられる。サウンディングRSは、主に、チャンネル品質測定を行い、上りリンクの周波数選択性スケジューリングを行うために用いられる。
【００１１】
LTEシステムでは、図１に示すように、一つのサブフレーム（Sub-frame）がトータルで１４個のシンボルを有し、それぞれ、No.0,No.2,No.1,…,No.13で表れる。Rel.8/9システムでは、ユーザのSRS信号がNo.13のシンボルのみにおいて伝送され得る。Rel.8/9システムでは、ユーザのDMRS信号がNo.3及びNo.10のシンボルのみにおいて伝送され得る。上りリンクのDMRS、SRS及びデータシンボルは、時分割多重化される。1つの所定のユーザ設備（User  Equipment；UE）のDMRSと、該ユーザが送信した上りリンクデータチャンネル（PUSCH）又は上りリンクシグナリングチャンネル（PUCCH）とは、同じバンド幅、例えば、セルバンド幅（Cell  Bandwidth）全体の中のPUSCHバンド幅を有する。よって、システムの異なるバンド幅を異なるユーザに割り当てる時（FDMA）に、各ユーザのDMRSも互いに直交する。
【００１２】
ユーザのSRSバンド幅は、データ伝送のためのバンド幅と異なっても良い。ユーザのSRS信号は、常に、1つのサブフレームの最後の1つのSC-FMDAシンボルにおいて伝送され、且つ該SRS信号のパラメータは、システムの上位層シグナリングにより通知される。図１では、UE（移動端末）がサブフレームの最後の1つのシンボルにおいてSRSを周期的に送信する。図２では、各UEのSRS信号が、周波数分割多重化（FDM）、コード分割多重化（CDM）により多重化され、又は、時分割多重化（TDM）により多重化される。TDM方式では、LTE中のeNodeB（基地局）が、UEが1つのシングルSRSを送信するようにリクエストし、又はUEがSRSを終了までに周期的に送信するように構成させる。UEがSRSを周期的に送信するのであれば、この周期は、２、５、１０、２０、４０、８０、１６０又は３２０msであってもよい。FDM方式では、eNodeBが、異なるバンド幅の周波数リソース、又は、バンド幅が同じであるが位置が異なる周波数リソースを、SRS信号を伝送するためにユーザに割り当ててもよい。SRSバンド幅に影響する要因は、UEの最大電力、サウンディングをサポート可能なUEの数、及び、チャンネルの状況に頼る上りリンクスケジューリングから利得を得るに必要なサウンディングバンド幅を含む。CDM方式では、eNodeBが、バンド幅が同じであり且つ位置が同じである周波数リソースを異なるユーザに割り当ててもよい。この時に、RSシーケンスの異なる周期的なシフトを用いてシーケンスの直交を実現してもよく、即ち、1つのZCシーケンスと、同じシーケンスの任意の周期的なシフトとの間の相関性が０である。チャンネルインパルス応答が有限長である時に、異なる送信機が、同じRSベースシーケンスの異なる周期的な時間シフトを用いてもよく、周期的なシフトがチャンネルインパルス応答よりも長ければ、RS間は直交を維持することができる。
【００１３】
上述のTDM、FDM、及びCDMのほかに、今のところのLTEシステムでは、SRSリソースの多重化を行う他の手段が存在しない。
【００１４】
LTEシステムでは、ユーザの上りリンク信号送信が、シングルアンテナ送信モード又はアンテナ選択送信モードをサポートする。SRSリソースを割り当てる時に、各ユーザに一組のSRSリソースのみが割り当てられてもよい。
【００１５】
LTE-Advancedシステムでは、より高い上りリンク伝送レート指標を満たすために、UEが上りリンクにおいてより高いランク（Rank）の伝送、例えば、rank1-rank4の伝送をサポートするように要求され、そのため、UEに、より多くのアンテナを設置する必要があり、例えば、最大rank2の伝送をサポートするために２つのアンテナを設置する必要がり、最大rank４の伝送をサポートするために４つのアンテナを設置する必要がある。
【００１６】
より多くのアンテナをUEに設置し、より高いrankの伝送を行う時に、各アンテナのチャンネルのサウンディング及び推定を行うのに便利なように、より多くのSRSリソースを割り当てる必要もある。
【００１７】
しかし、チャンネルの時間領域性フェージング及び周波数領域性フェージングの性質により、システムは、TDM多重化係数、FDM多重化係数、及びCDM多重化係数を無制限に拡大することができない。特に、FDM及びCDM方式について言えば、LTE-Advancedシステムの後ろ向き互換性を保証しなければならないので、即ち、LTEユーザがLTE-Advancedシステムでも正常に使用できることを保証しなければならないので、LTE-Advancedシステムは、CDM及びFDMの多重化係数を随意に拡大することができない。
【００１８】
したがって、SRSの容量をよりいっそう向上させるために、特別な方法を採用する必要がある。
【発明の概要】
【発明が解決しようとする課題】
【００１９】
本発明は、上述の技術問題を解決することを目的とする。
【課題を解決するための手段】
【００２０】
本発明の一側面によれば、上りリンクサウンディング基準信号を送信する方法が提供される。かかる方法は、マスクを用いて上りリンクサウンディング基準信号を処理し、マスク処理された複数の上りリンクサウンディング基準信号を得るステップと、基準信号に割り当てられている複数のタイムスロットにおいて、マスク処理された複数の上りリンクサウンディング基準信号をそれぞれ送信するステップとを含む。
【００２１】
好ましくは、基準信号に割り当てられている複数のタイムスロットは、上りリンクサウンディング基準信号に割り当てられているタイムスロット及び／又は復調基準信号に割り当てられているタイムスロットを含む。
【００２２】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００２３】
好ましくは、マスクを用いて上りリンクサウンディング基準信号を処理することは、上りリンクサウンディング基準信号に複数のマスク定数をそれぞれ掛け、マスク処理された複数の上りリンクサウンディング基準信号を得ることを含む。
【００２４】
好ましくは、複数のマスク定数は、１及び−１、又は１及び１、又はｊ及び−ｊ、又はｊ及びｊを含む。
【００２５】
本発明の他の側面によれば、上りリンクサウンディング基準信号を用いてチャンネルを推定する方法が提供される。かかる方法は、基準信号に割り当てられている複数のタイムスロットにおいてそれぞれ送信されたマスク処理後の複数の上りリンクサウンディング基準信号を含む信号を受信するステップと、受信した信号に対してデマスク（demask）処理を行い、チャンネルの推定を得るステップとを含む。
【００２６】
好ましくは、基準信号に割り当てられている複数のタイムスロットは、上りリンクサウンディング基準信号に割り当てられているタイムスロット及び／又は復調基準信号に割り当てられているタイムスロットを含む。
【００２７】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００２８】
好ましくは、マスク処理後の複数の上りリンクサウンディング基準信号は、上りリンクサウンディング基準信号に複数のマスク定数をそれぞれ掛けることにより得られる。
【００２９】
好ましくは、複数のマスク定数は、１及び−１、又は１及び１、又はｊ及び−ｊ、又はｊ及びｊを含む。
【００３０】
本発明の他の側面によれば、移動端末が提供される。かかる移動端末は、マスクを用いて上りリンクサウンディング基準信号を処理し、マスク処理された複数の上りリンクサウンディング基準信号を得るためのマスクユニットと、基準信号に割り当てられている複数のタイムスロットにおいて、マスク処理された複数の上りリンクサウンディング基準信号をそれぞれ送信するための送信ユニットとを含む。
【００３１】
好ましくは、基準信号に割り当てられている複数のタイムスロットは、上りリンクサウンディング基準信号に割り当てられているタイムスロット及び／又は復調基準信号に割り当てられているタイムスロットを含む。
【００３２】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００３３】
好ましくは、マスクユニットは、上りリンクサウンディング基準信号に複数のマスク定数をそれぞれ掛け、マスク処理された複数の上りリンクサウンディング基準信号を得る。
【００３４】
好ましくは、複数のマスク定数は、１及び−１、又は１及び１、又はｊ及び−ｊ、又はｊ及びｊを含む。
【００３５】
本発明の他の側面によれば、基地局が提供される。かかる基地局は、基準信号に割り当てられている複数のタイムスロットにおいてそれぞれ送信されたマスク処理後の複数の上りリンクサウンディング基準信号を含む信号を受信するための受信ユニットと、受信された信号に対してデマスク処理を行い、チャンネルの推定を得るためのデマスクユニットとを含む。
【００３６】
好ましくは、基準信号に割り当てられている複数のタイムスロットは、上りリンクサウンディング基準信号に割り当てられているタイムスロット及び／又は復調基準信号に割り当てられているタイムスロットを含む。
【００３７】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレーム中上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００３８】
好ましくは、マスク処理後の複数の上りリンクサウンディング基準信号は、上りリンクサウンディング基準信号に複数のマスク定数をそれぞれ掛けることにより得られる。
【００３９】
好ましくは、複数のマスク定数は、１及び−１、又は１及び１、又はｊ及び−ｊ、又はｊ及びｊを含む。
【００４０】
本発明の他の側面によれば、無線通信システムが提供される。かかるシステムは、上述の移動端末及び上述の基地局を含む。
【００４１】
本発明は、上りリンクサウンディング基準信号の容量を有効に提供することができる。
【００４２】
以下の説明及び図面を参照することにより、本発明のこれら及び更なる側面及び特徴は、更に明らかになる。上述の説明及び図面には、本発明の特定の実施形態が開示されており、本発明の原理を採用可能な形態も明示されている。理解すべきは、本発明は、範囲上ではその開示及び明示に限定されない。特許請求の範囲の精神及び技術範囲内では、本発明はあらゆる変化、改正及び代替によるものを含む。
【００４３】
１つの実施形態に関して説明及び／又は例示された特徴は、同じ又は類似の方式で１つ又は複数の他の実施形態に使用されてもよく、他の実施形態の特徴と組合せてもよく、又は、他の実施形態の特徴に取って代わってもよい。
【００４４】
強調すべきは、「包括／含む」の語は、本文で用いられるとき、特徴、要素、ステップ又は部品の存在を指すが、１つ又は複数の他の特徴、要素、ステップ又は部品の存在又は付加を排除しないことである。
【００４５】
以下の図面を参照して本発明の多くの側面をよりよく理解することができる。図面中の部品は、実際に比例して描いたものではなく、本発明の原理を示すためのものだけである。本発明の一部を例示及び説明するのに便利なように、図面中の対応する部分を拡大することがあり、即ち、それを、本発明に基づいて実際に製造された例示的な装置中の他の部品よりも大きくすることがある。本発明の１つの図面又は１つの実施形態に説明の要素及び特徴は、１つ又は複数の他の図面又は実施形態に示す要素及び特徴と組み合わせてもよい。また、図面では、類似の符号は、複数の図面中の対応する部品を表し、また複数の実施形態中の対応する部品を表してもよい。
【図面の簡単な説明】
【００４６】
図面は、本発明の好適な実施例を示し、本願明細書の一部を構成し、また文字説明とともに本発明の原理を詳細に述べるために用いられる。
【図１】従来技術中の上りリンクSRS送信用のサブフレームを示す図である。
【図２】従来技術中の上りリンクSRS送信用のもう１つのサブフレームを示す図である。
【図３】本発明の実施例による上りリンクSRS送信用のサブフレームを示す図である。
【図４】本発明の実施例による上りリンクSRS送信方法のフローチャートである。
【図５】本発明の実施例における上りリンクSRSによるチャンネル推定方法のフローチャートである。
【図６】本発明の実施例による移動端末のブロック図である。
【図７】本発明の実施例による基地局のブロック図である。
【図８】本発明の実施例による無線通信システムのブロック図である。
【発明を実施するための形態】
【００４７】
以下、添付した図面を参照しながら本発明について詳細に説明する。なお、次に説明の実施例は、本発明への理解に便利なものだけであり、本発明を限定するものでない。
【００４８】
図４は、本発明の実施例による上りリンクサウンディング基準信号（SRS）送信方法のフローチャートである。ステップ４０２では、マスクを用いて上りリンクサウンディング基準信号を処理することにより、マスク処理された複数の上りリンクサウンディング基準信号を得る。ステップ４０４では、基準信号に割り当てられている複数のタイムスロットにおいて、マスク処理された複数の上りリンクサウンディング基準信号をそれぞれ送信する。
【００４９】
移動通信システムには各種の基準信号が存在する。これらの基準信号は、受信端に既知であり、通常、チャンネル推定、電力制御などに用いられ、例えば、LTEシステム中のSRS及び復調基準信号（DMBS）などである。本発明の実施例では、上りリンクSRSをマスク処理することで得られた複数のバージョンを、基準信号に割り当てられているタイムスロットにおいて送信することにより、即ち、他の基準信号（他のユーザのSRS信号であってもよく）と多重化されることにより、SRSの容量を更に向上させることができる。なお、ここでいうの基準信号は、SRS及びDMRSに限られず、他の受信端に既知の基準信号であってもよい。
【００５０】
次に、LTEシステムを例として説明を行う。図３は、本発明の実施例による上りリンクSRS送信用のサブフレームを示す図である。LTEシステムでは、１つのサブフレーム（Sub-frame）がトータルで１４個のシンボルを有し、それぞれ、No.0,No.2,No.1,…,No.13により表れる。Rel.8/9システムでは、ユーザのSRS信号がNo.13のシンボルのみにおいて伝送され得る。Rel.8/9システムでは、ユーザのDMRS信号がNo.3及びNo.10のシンボルのみにおいて伝送され得る。図３では、マスク処理された２つの上りリンクSRS信号（図中、“covered Sounding”と表される）及びDMRS信号が多重化される。なお、マスク処理された上りリンクSRS信号のバンド幅は、DMRS信号のバンド幅に等しくてもよく、DMRS信号のバンド幅によりも大きくてもよく、又はDMRS信号のバンド幅によりも小さくてもよい。また、マスク処理された上りリンクSRS信号は、周期的な信号であってもよく、非周期的な信号であってもよい。
【００５１】
ここでは、UE1がシステムのスケジューリングによりSRS信号を送信し、該SRS信号の長さがLue1であり、周波数領域のシンボルがs0,s1,…,sLであり、時間領域の波形がSUE1(t)であると仮定する。ステップ４０２では、マスクを用いてSRS信号に対して処理を行うことにより、マスク処理された複数の上りリンクSRS信号を取得する。例えば、SRS信号SUE1(t)に１及び−１をそれぞれ掛けることにより、SUE1(t)及び−SUE1(t)を得ることができ、この2つの信号は、マスク処理された2つのSRS信号である。そのうち、SRS信号の特性により、−SUE1(t)が対応する周波数領域のシンボルは、−s0,−s1,…,−sLである。ステップ４０４では、信号SUE1(t)及び−SUE1(t)を、同じサブフレーム中の2つのDMRS信号に割り当てられているタイムスロットにおいてそれぞれ送信し、言い換えると、No.3のシンボルにてSUE1(t)を送信し、No.10のシンボルにて−SUE1(t)を送信する。このとき、No.3のシンボル及びNo.10のシンボルには、UE1又は他のUEが送信したDMRS信号が存在する可能性があり、このとき、マスク処理されたSRS信号及びDMRS信号は、多重化されている。受信端（基地局）では、No.3のシンボル及びNo.10のシンボルにて受信した信号に対してデマスク処理を行うことにより、チャンネルの推定を取得してもよい。なお、デマスク処理の具体的な方法については、次に詳細に説明する。
【００５２】
上述の例では、同じサブフレーム中の2つのDMRS信号に割り当てられているタイムスロットで、マスク処理されたSRS信号を送信したが、本発明の実施例は、これに限定されない。例えば、異なるサブフレーム中の2つのDMRS信号に割り当てられているタイムスロット、又は異なるサブフレーム中の2つのSRS信号に割り当てられているタイムスロット、又は同じサブフレームのSRS信号に割り当てられているタイムスロット及び１つのDMRS信号に割り当てられているタイムスロット、又は異なるサブフレームのSRS信号に割り当てられているタイムスロット及び１つのDMRS信号に割り当てられているタイムスロットで、マスク処理されたSRS信号を送信してもよい。
【００５３】
上述の例では、SRS信号に１及び−１をそれぞれ掛けることにより、処理された2つのSRS信号を得たが、本発明は、これに限られない。SRS信号に１及び１、又はｊ及び−ｊ、又はｊ及びｊ、又は他の任意の2つの定数（ここでマスク定数という）をそれぞれ掛けることにより、処理された2つのSRS信号を取得してもよい。なお、SRS信号に１及び１、又はｊ及び−ｊ、又はｊ及びｊをそれぞれ掛けて、2つの処理後のSRS信号を得る時に、計算量は比較的小さい。
【００５４】
また、上述の例では、2つの処理後のSRS信号を得たが、本発明は、これに限定されない。３つ又は４つのようなより多くの処理後のSRS信号を得てもよい。例えば、SRS信号に１、−１及びｊを掛けて、マスク処理された３つのSRS信号を取得してもよい。この３つのマスク処理された後のSRS信号は、同じサブフレームの2つのDMRSのタイムスロット及び1つのSRSのタイムスロット、又は、異なるサブフレームのDMRSのタイムスロット又はSRSのタイムスロットにおいて送信され得る。なお、当業者は各種の組み合わせ方式を設定することができるので、ここでは、詳しい説明を省略する。
【００５５】
マスク処理された複数のSRS信号が同じサブフレームの異なるタイムスロットで送信される時に、互いの間における送信時間の間隔が比較的小さいため、チャンネルの状況が同じであると看做されてもよく、これは、チャンネル推定にとってより便利である。
【００５６】
上述の例では、1つだけのSRS信号に対してマスク処理を行ったが、本発明の実施例は、これに限定されない。例えば、本発明の実施例では、複数のCDM及び／又はFDMにより多重化された後のSRS信号に対してマスク処理を行ってもよい。例えば、多重化後のSRS信号に１及び−１を掛けることにより、マスク処理された2つの多重化後のSRS信号を取得してもよい。
【００５７】
図５は、本発明の実施例による、上りリンクSRSを用いてチャンネルを推定する方法のフローチャートである。
【００５８】
図５において、ステップS502では、基準信号に割り当てられている複数のタイムスロットにて送信された、マスク処理された上りリンクサウンディング基準信号を含む複数の信号を受信する。ステップS504では、受信した信号に対してデマスク処理を行うことでチャンネルの推定を取得する。
【００５９】
本実施例では、基準信号は、SRS及びDMRSであってもよく、他の受信端に既知の基準信号であってもよい。
【００６０】
一例では、基準信号に割り当てられている複数のタイムスロットは、SRS信号に割り当てられているタイムスロット及び／又はDMRS信号に割り当てられているタイムスロットを含む。具体的には、基準信号に割り当てられている複数のタイムスロットは、同じサブフレーム中の2つのDMRS信号に割り当てられているタイムスロット、又は異なるサブフレーム中の2つのDMRS信号に割り当てられているタイムスロット、又は異なるサブフレーム中の2つのSRS信号に割り当てられているタイムスロット、又は同じサブフレームのSRS信号及びDMRS信号にそれぞれ割り当てられているタイムスロット、又は異なるサブフレームのSRS信号又はDMRS信号にそれぞれに割り当てられているタイムスロットを含む。
【００６１】
次に、LTEシステムを例として説明を行う。図３は、本発明の実施例による上りリンクSRS送信用のサブフレームを示す図である。LTEシステムでは、1つのサブフレーム（Sub-frame）が、トータルで１４個のシンボルを有し、それぞれ、No.0,No.2,No.1,…,No.13により表れる。Rel.8/9システムでは、ユーザのSRS信号がNo.13のシンボルのみにおいて伝送され得る。Rel.8/9システムでは、ユーザのDMRS信号がNo.3及びNo.10のシンボルのみにおいて伝送され得る。
【００６２】
ここでは、UE1がシステムのスケジューリングによりSRS信号を送信し、該SRS信号の長さがLue1であり、周波数領域のシンボルがs0,s1,…,sLであり、時間領域の波形がSUE1(t)であり、複数のマスク処理後の上りリンクSRS信号がSUE1(t)及び−SUE1(t)であると仮定する。信号SUE1(t)及び−SUE1(t)は、それぞれ、同じサブフレームの2つのDMRS信号に割り当てられているタイムスロットにて送信され、言い換えると、No.3のシンボルにてSUE1(t)を送信し、No.10のシンボルにて−SUE1(t)を送信する。
【００６３】
ステップS502では、基準信号に割り当てられている複数のタイムスロットでそれぞれ送信されたマスク処理後の上りリンクサウンディング基準信号を含む複数の信号を受信する。ここでは、受信端（基地局）において、UE1が送信したマスク処理後のSRS信号と、UE2が送信したDMRS信号との間に重なり合いがあると仮定する。また、重なり合っているサブキャリアf1について、このサブキャリアにおいては、UE1が送信したSRS信号がSUE1であり、UE2が送信したDMRS信号がSUE2,3及びSUE2,10であり、それぞれNo.3のシンボル及びNo.10のシンボルに対応すると仮定する。
【００６４】
そうすると、No.3のシンボルについては、サブキャリアf1にての受信機の受信信号が次のようである。
【数２】
0005549778.tif 000003
【００６５】
No.10のシンボルについては、サブキャリアf1にての受信機の受信信号が、次のようである。
【数３】
0005549778.tif 000004
【００６６】
ただし、h1,3は、UE1のNo.3のシンボルの時におけるチャンネル値であり、h2,3は、UE2のNo.3のシンボルの時におけるチャンネル値であり、h1,10は、UE1のNo.10のシンボルの時におけるチャンネル値であり、h2,10は、UE2のNo.10のシンボルの時におけるチャンネル値であり、n3及びn10は、それぞれ、No.3の符号及びNo.10の符号の時に、受信機のサブキャリアf1におけるノイズである。
【００６７】
ステップS504では、受信した信号に対してデマスク処理を行い、チャンネルの推定を取得する。UEの移動速度が比較的遅い場合、各UEのチャンネル値がNo.3のシンボルとNo.10のシンボルの時に近似的に等しく、即ち、h1,3=h1,10であり、さらに、h1に等しいと看做され得る。同様に、h2,3=h2,10であり、さらに、h2に等しいと看做され得る。このような分析を踏まえて、UE2のチャンネルの推定値は、次のように得られる。
【数４】
0005549778.tif 000005
【００６８】
UE1のチャンネルの推定は、次にように得られる。
【数５】
0005549778.tif 000006
【００６９】
これをもって、UE2及びU1のチャンネル推定は終了する。
【００７０】
上述によれば、UEが送信したSRS信号及び／又はDMRS信号が基地局に既知であるので、各UEのチャンネル推定を未知数、送信信号及び受信信号を既知数とする二次元一次方程式の組（連立方程式）を作って解くことにより、UEのチャンネル推定を求めることができる。
【００７１】
上述の例では、UE1が送信したSRS信号とUE1自身のDMRS信号と（SUE1,3及びSUE1,10）が重なり合えば、No.3のシンボルについては、受信機のサブキャリアf1にての受信信号が次のようである。
【数６】
0005549778.tif 000007
【００７２】
No.10については、受信機のサブキャリアf1にての受信信号が次のようである。
【数７】
0005549778.tif 000008
【００７３】
よって、UE1のNo.3のシンボル及びNo.10のシンボルにおけるチャンネル値をそれぞれ求めることができる。両者が近似的に等しいと看做されれば、何れの式によりUE1のチャンネル値を計算してもよく、或いは、No.3のシンボル及びNo.10のシンボルにおける2つのチャンネル値の平均値を算出してUE1のチャンネル値としてもよい。
【００７４】
上述では、サブキャリアf1のみについてチャンネル推定を行ったが、他のサブキャリアについても、同様である。なお、同じサブキャリアにおいては、マスク処理された後の1つのSRSが最大限1つのUEのDMRS信号と重なり合える。
【００７５】
上述の例では、SRS信号に1及び-1をそれぞれ掛けることにより、2つの処理後のSRS信号を取得したが、本発明は、これに限定されない。SRS信号に1及び1、又はj及び-j、又はj及びj、又は他の任意の定数（ここでマスク定数という）をそれぞれ掛けることにより、2つの処理後のSRS信号を得てもよい。なお、SRS信号に他の定数をそれぞれ掛ける場合、如何にデマスク処理によりチャンネル推定を得るかは、当業者が上述の例から容易に理解すべきである。なお、SRS信号に1及び1、又はj及び-j、又はj及びjをそれぞれ掛けて2つの処理後のSRS信号を得る時に、デマスク処理に必要な計算量は比較的小さい。
【００７６】
また、上述の例では、2つの処理後のSRS信号を得たが、本発明は、これに限定されない。より多い、例えば、３つ又は４つの処理後の信号を得てもよい。例えば、SRS信号に1、-1及びjを掛けて、３つのマスク処理後のSRS信号を得てもよい。この３つのマスク処理後のSRS信号は、同じサブフレームの2つのDMRSのタイムスロット及び1つのSRSのタイムスロット、又は、異なるサブフレームのDMRSのタイムスロット又はSRSタイムスロットにて送信され得る。なお、当業者は各種の組み合わせ方式を設定してもよいので、ここでは、詳しい説明を省略する。
【００７７】
複数のマスク処理後のSRS信号が同じサブフレームの異なるタイムスロットにて送信される時に、互いの間における送信時間の間隔が比較的小さいため、チャンネルの状況が同じであると看做されてもよく、これは、チャンネル推定にとってより便利である。
【００７８】
一例では、推定する必要があるチャンネルの数により、所要のマスク処理後のSRSの数を確定しても良い。例えば、第一サブフレーム及び第二サブフレームにて複数のマスク処理後のSRS信号をそれぞれ送信する時に、チャンネルの変化が比較的速く、同じUEの異なるサブフレームにおけるチャンネルが同じと見なすことができず、第二サブフレームにおいてUE1が送信したSRS信号とUE2のDMRS信号とが重なり合い、且つ第二サブフレームにおいてUE1が送信したSRS信号とUE3のDMRS信号とが重なり合えば、計算する必要のあるチャンネル推定の数がで４つであり、即ち、UE1の第一サブフレームにおけるチャンネル推定、UE1の第二サブフレームにおけるチャンネル推定、UE2の第一サブフレームにおけるチャンネル推定、及びUE3の第二サブフレームにおけるチャンネル推定であり、この時に必要なマスク処理後のSRS信号の数も４つであり、即ち、4個の未知数を求めるための4個の方程式が必要である。よって、第一サブフレーム及び第二サブフレームのトータルで４個のDMRSのタイムスロットにて４つのマスク処理後のSRS信号を送信してもよく、これにより、４つの方程式を取得することができ、さらに、上述の４つのチャンネル推定を求めることができる。
【００７９】
上述の例では、1つのSRS信号のみに対してマスク処理を行ったが、本発明の実施例は、これに限られない。例えば、本発明の実施例では、CDM及び／又はFDMによる多重化後の複数のSRS信号に対してマスク処理を行ってもよい。例えば、多重化後のSRS信号に1及び-1をそれぞれ掛けて、マスク処理された2つの多重化後のSRS信号を得てもよい。この場合、基地局側では、まず、受信したマスク処理後且つ多重化後のSRS信号の組み合わせを未知数とし、上述の方法により連立方程式を作り、それに重なり合った基準信号を送信したUEのチャンネル推定、及び受信したマスク処理後且つ多重化後のSRS信号の組み合わせを求めることができ、次に、この組み合わせについて、当業者に既知のあらゆる方法により、各SRS信号が対応するチャンネルの推定値を求めることができる。
【００８０】
図６は、本発明の実施例による移動端末６００のブロック図である。移動端末６００は、マスクを用いて上りリンクサウンディング基準信号を処理し、マスク処理された複数の上りリンクサウンディング基準信号を得るためのマスクユニット６０２と、基準信号に割り当てられている複数のタイムスロットにおいて、マスク処理された複数の上りリンクサウンディング基準信号をそれぞれ送信するための送信ユニット６０４とを含む。
【００８１】
好ましくは、基準信号に割り当てられている複数のタイムスロットは、上りリンクサウンディング基準信号に割り当てられているタイムスロット及び／又は復調基準信号に割り当てられているタイムスロットを含む。
【００８２】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００８３】
好ましくは、マスクユニットは、上りリンクサウンディング基準信号に複数のマスク定数をそれぞれ掛け、マスク処理された複数の上りリンクサウンディング基準信号を得る。
【００８４】
好ましくは、複数のマスク定数は、１及び−１、又は１及び１、又はｊ及び−ｊ、又はｊ及びｊを含む。
【００８５】
上述の本発明の実施例による上りリンクサウンディング基準信号の送信方法のプロセスを参照することにより、図６に示す移動端末における各部品の機能が如何に実現されるかは、明らかである。よって、明細書が簡潔であるために、ここでは、上述の各部品の機能が如何に実現されるかについての詳しい説明を省略する。
【００８６】
図７は、本発明の実施例による基地局７００のブロック図である。基地局７００は、基準信号に割り当てられている複数のタイムスロットにおいてそれぞれ送信された、マスク処理された上りリンクサウンディング基準信号を含む複数の信号を受信するための受信ユニット７０２と、受信した信号に対してデマスク処理を行い、チャンネルの推定を得るためのデマスクユニット７０４とを含む。
【００８７】
好ましくは、基準信号に割り当てられている複数のタイムスロットは、上りリンクサウンディング基準信号に割り当てられているタイムスロット及び／又は復調基準信号に割り当てられているタイムスロットを含む。
【００８８】
好ましくは、基準信号に割り当てられている複数のタイムスロットは、同じサブフレーム中の2つの復調基準信号に割り当てられているタイムスロット、又は異なるサブフレーム中の2つの復調基準信号に割り当てられているタイムスロット、又は異なるサブフレーム中の2つの上りリンクサウンディング基準信号に割り当てられているタイムスロット、又は同じサブフレームの上りリンクサウンディング基準信号に割り当てられているタイムスロット及び１つの復調基準信号に割り当てられているタイムスロット、又は異なるサブフレームの上りリンクサウンディング基準信号に割り当てられているタイムスロット及び１つの復調基準信号に割り当てられているタイムスロットを含む。
【００８９】
好ましくは、マスク処理された複数の上りリンクサウンディング基準信号は、上りリンクサウンディング基準信号に複数のマスク定数をそれぞれ掛けることにより得られる。
【００９０】
好ましくは、複数のマスク定数は、１及び−１、又は１及び１、又はｊ及び−ｊ、又はｊ及びｊを含む。
【００９１】
上述の本発明の実施例による、上りリンクサウンディング基準信号を用いてチャンネルを推定する方法のプロセスを参照することにより、図７に示す基地局における各部品の機能が如何に実現されるかは、明らかである。よって、明細書が簡潔であるために、ここでは、上述の各部品の機能が如何に実現されるかについての詳しい説明を省略する。
【００９２】
図８は、本発明の実施例による無線通信システム８００のブロック図である。無線通信システム８００は、移動端末８０２及び基地局８０４を含む。移動端末８０２及び基地局８０４は、上述の移動端末６００及び基地局７００と同様であるので、ここでは、明細書が簡潔であるために、その詳しい説明を省略する。
【００９３】
なお、上述では、LTEシステムを例として本発明の実施例を説明したが、本発明の実施例は、これに限られない。当業者は、上述の内容を参照した上で、同様な上りリンクサウンディング基準信号を送信する必要があるWimax等他の通信システムに本発明も適用できることを簡単に理解すべきである。
【００９４】
また、当業者が理解すべきは、本発明の実施例による方法及び設備の全て又は何れのステップ又は部品は、任意の計算設備（処理器、記憶媒体などを含み）又は計算設備のネットワークにおいて、ハードウェア、ファームウェア、ソフトウェア、又はそれらの組み合わせにより実現されてもよい。これは、当業者が本発明に関する説明を参照したで基本的なプログラミング手法により実現することができるので、ここでは、その詳細な説明を省略する。
【００９５】
よって、上述の理解に基づいて、本発明の目的は、任意の情報処理装置において1つ又は複数のプログラムを実行することにより実現され得る。この情報処理装置は、既知の汎用装置であってもよい。また、本発明の目的は、上述の方法又は設備を実現可能なプログラムコードを含むプログラムプロダクトを提供することのみにより実現され得る。換言すると、このようなプログラムプロダクトは本発明を構成し、且つこのようなプログラムプロダクトを記憶している記憶媒体も本発明を構成する。もちろん、該記憶媒体は、既知の任意の記憶媒体又は将来の任意の記憶媒体であってもよいので、ここでは、各種の記憶媒体の列挙を省略する。
【００９６】
本発明の設備及び方法では、もちろん、各部品又は各ステップは、分解、組み合わせ及び／又は分解後再組み合わせが可能なものである。これらの分解、組み合わせ及び／又は再組み合わせは、本発明の等価代替と看做すべきである。
【００９７】
以上、本発明の好ましい実施形態を説明したが、当業者が理解すべきは、本発明の保護範囲は上述で開示の具体的な細部に限定ない。本発明の趣旨を離脱しない限り、本発明に対するあらゆる変更は本発明の技術範囲に属する。
【図４】
0005549778.tif 000009
【図５】
0005549778.tif 000010
【図６】
0005549778.tif 000011
【図７】
0005549778.tif 000012
【図８】
0005549778.tif 000013
【図１】
0005549778.tif 000014
【図２】
0005549778.tif 000015
【図３】
0005549778.tif 000016